【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
ネットワークを構成するための中継機器と通信可能な通信装置であって、
前記中継機器との間でパケットデータの送受信を行うパケット処理手段と、
前記通信装置を制御する第１制御手段と、
前記パケット処理手段を制御する第２制御手段と、
前記第１制御手段、前記第２制御手段及び前記パケット処理手段に電力を供給する通常モード、又は、前記第２制御手段及び前記パケット処理手段に電力を供給する一方で前記第１制御手段へ供給する電力を前記通常モードより低減する省電力モードのいずれかのモードで電力を供給する電力供給手段を有し、
前記第１制御手段は、前記通常モードから前記省電力モードへ切り替えるための条件が成立したことに応じて、前記通信装置と前記中継機器との通信速度を低くするように前記第２制御手段に対して指示を行うとともに、前記通常モードから前記省電力モードへ切り替えるよう前記電力供給手段を制御し、
前記第２制御手段は、前記通信装置が前記ネットワークから離脱した状態で前記第１制御手段からの前記指示に基づき前記中継機器との通信速度をより低い通信速度となるように制御し、前記通信装置が再び前記ネットワークに参加するために必要な情報を前記中継機器に送信するよう前記パケット処理手段を制御することを特徴とする通信装置。
【請求項２】
ネットワークを構成するための中継機器と通信可能な通信装置であって、
前記中継機器との間でパケットデータの送受信を行うパケット処理手段と、
前記通信装置を制御する第１制御手段と、
前記パケット処理手段を制御する第２制御手段と、
前記第１制御手段、前記第２制御手段及び前記パケット処理手段に電力を供給する通常モード、又は、前記第２制御手段及び前記パケット処理手段に電力を供給する一方で前記第１制御手段へ電力が供給されない省電力モードのいずれかのモードで電力を供給する電力供給手段を有し、
前記第１制御手段は、前記通常モードから前記省電力モードへ切り替えるための条件が成立したことに応じて、前記通信装置と前記中継機器との通信速度を低くするように前記第２制御手段に対して指示を行うとともに、前記通常モードから前記省電力モードへ切り替えるよう前記電力供給手段を制御し、
前記第２制御手段は、前記通信装置が前記ネットワークから離脱した状態で前記第１制御手段からの前記指示に基づき前記中継機器との通信速度をより低い通信速度となるように制御し、前記通信装置が再び前記ネットワークに参加するために必要な情報を前記中継機器に送信するよう前記パケット処理手段を制御することを特徴とする通信装置。
【請求項３】
前記第２制御手段は、前記通信装置と前記中継機器との通信リンクであって前記第１制御手段からの前記指示に基づく通信速度での通信リンクを確立することにより、前記通信装置が前記ネットワークから離脱した状態で前記第１制御手段からの前記指示に基づき前記中継機器との通信速度をより低い通信速度となるように制御することを特徴とする１又は２に記載の通信装置。
【請求項４】
前記第２制御手段は、前記省電力モードを前記通常モードへ復帰させるための復帰条件が成立したことに応じて、前記電力供給手段を前記省電力モードから前記通常モードへ切り替えるよう制御することを特徴とする請求項１乃至３のいずれか１項に記載の通信装置。
【請求項５】
前記第２制御手段は、前記復帰条件が成立したことに応じて、前記中継装置との通信リンクが確立されたリンクアップ状態を前記通信リンクが確立されていないリンクダウン状態へ切り替えるよう前記パケット処理手段を制御することを特徴とする請求項４に記載の通信装置。
【請求項６】
前記第１制御手段は、前記復帰条件が成立した後に前記第２制御手段により前記リンクアップ状態が前記リンクダウン状態へ切り替えられたことに応じて、前記リンクダウン状態を前記リンクアップ状態へ切り替えるよう前記パケット処理手段を制御することを特徴とする請求項５に記載の通信装置。
【請求項７】
前記通信装置を前記ネットワークに参加させるために必要な情報は、前記通信装置を識別するためのＭＡＣアドレスであることを特徴とする請求項１乃至６のいずれか１項に記載の通信装置。
【請求項８】
前記通信装置を前記ネットワークに参加させるために必要な情報は、前記通信装置を識別するためのＩＰアドレスであることを特徴とする請求項１乃至６のいずれか１項に記載の通信装置。
【請求項９】
前記通信装置を前記ネットワークに参加させるために必要な情報は、前記通信装置にログイン中のユーザを識別するためのユーザ情報であることを特徴とする請求項１乃至８のいずれか１項に記載の通信装置。
【手続補正２】
【補正対象書類名】明細書
【補正対象項目名】００１１
【補正方法】変更
【補正の内容】
【００１１】
また、本発明の通信装置は、ネットワークを構成するための中継機器を介してネットワークと通信可能な通信装置であって、前記中継機器との間でパケットデータの送受信を行うパケット処理手段と、前記通信装置を制御する第１制御手段と、前記パケット処理手段を制御する第２制御手段と、前記第１制御手段、前記第２制御手段及び前記パケット処理手段に電力を供給する通常モード、又は、前記第２制御手段及び前記パケット処理手段に電力を供給する一方で前記第１制御手段へ供給する電力を前記通常モードより低減する省電力モードのいずれかのモードで電力を供給する電力供給手段と、を有し、前記第１制御手段は、前記通常モードから前記省電力モードへ切り替えるための条件が成立したことに応じて、前記通信装置と前記中継機器との通信速度を低くするように前記第２制御手段に対して指示を行うとともに、前記通常モードから前記省電力モードへ切り替えるよう前記電力供給手段を制御し、前記第２制御手段は、前記通信装置が前記ネットワークから離脱した状態で前記第１制御手段からの前記指示に基づき前記中継機器との通信速度をより低い通信速度となるように制御し、前記通信装置が再び前記ネットワークに参加するために必要な情報を前記中継機器に送信するよう前記パケット処理手段を制御することを特徴とする。
また本発明のその他の通信装置は、ネットワークを構成するための中継機器と通信可能な通信装置であって、前記中継機器との間でパケットデータの送受信を行うパケット処理手段と、前記通信装置を制御する第１制御手段と、前記パケット処理手段を制御する第２制御手段と、前記第１制御手段、前記第２制御手段及び前記パケット処理手段に電力を供給する通常モード、又は、前記第２制御手段及び前記パケット処理手段に電力を供給する一方で前記第１制御手段へ電力が供給されない省電力モードのいずれかのモードで電力を供給する電力供給手段を有し、前記第１制御手段は、前記通常モードから前記省電力モードへ切り替えるための条件が成立したことに応じて、前記通信装置と前記中継機器との通信速度を低くするように前記第２制御手段に対して指示を行うとともに、前記通常モードから前記省電力モードへ切り替えるよう前記電力供給手段を制御し、前記第２制御手段は、前記通信装置が前記ネットワークから離脱した状態で前記第１制御手段からの前記指示に基づき前記中継機器との通信速度をより低い通信速度となるように制御し、前記通信装置が再び前記ネットワークに参加するために必要な情報を前記中継機器に送信するよう前記パケット処理手段を制御することを特徴とする。